(57)【要約】【課題】撮影レンズの対応フォーマットがイメージセンサのフォーマットと異なる場合、適正な露出制御を行うことが難しい。【解決手段】撮影レンズを着脱可能な撮影装置を、装着された撮影レンズの対応フォーマットの情報を取得する取得手段と、被写界を複数の測光領域に分割して測光する測光センサと、取得手段により取得された対応フォーマットの情報に基づいて測光センサの各測光領域の測光データを補正する補正手段とを備える構成とする。【選択図】図３
2017138346.tif 000002
【特許請求の範囲】
【請求項１】
撮影レンズを着脱可能な撮影装置において、
装着された撮影レンズの対応フォーマットの情報を取得する取得手段と、
被写界を複数の測光領域に分割して測光する測光センサと、
前記取得手段により取得された対応フォーマットの情報に基づいて前記測光センサの各測光領域の測光データを補正する補正手段と、
を備える、
撮影装置。
【請求項２】
前記補正手段は、
前記測光データを補正するための補正式を前記対応フォーマット毎に予め保持し、
前記取得手段により取得された対応フォーマットの情報に関連付けられた補正式を呼び出し、
呼び出された補正式を用いて補正値を演算し、
演算された補正値で前記測光データを補正する、
請求項１に記載の撮影装置。
【請求項３】
前記補正式は、
少なくとも撮影レンズの開放Ｆ値及び射出瞳距離に基づいて前記測光データの補正値を演算する式である、
請求項２に記載の撮影装置。
【請求項４】
前記補正手段は、
前記取得手段により取得された対応フォーマットの情報が第１のフォーマットの情報であるとき、前記測光センサの各測光領域を第１の重み関数で補正し、
前記取得手段により取得された対応フォーマットの情報が前記第１のフォーマットよりも画角の小さい第２のフォーマットの情報であるとき、前記測光センサの各測光領域を前記第１の重み関数と異なる第２の重み関数で補正する、
請求項１に記載の撮影装置。
【請求項５】
前記第１の重み関数は、
前記測光センサの全ての測光領域を第１の係数で重み付けするものであり、
前記第２の重み関数は、
前記測光センサの中央に位置する測光領域を第２の係数で重み付けし、且つ該中央に位置する測光領域の周辺に位置する測光領域を前記第１の係数よりも小さい第３の係数で重み付けするものである、
請求項４に記載の撮影装置。
【発明の詳細な説明】
【技術分野】
【０００１】
本発明は、撮影レンズを着脱可能な撮影装置に関する。
【背景技術】
【０００２】
一般に、一眼レフカメラ等のレンズ交換式の撮影装置は、撮影レンズで形成される被写体像を、イメージセンサの撮像面と位置的に等価に配置されたピント板に結像させ、ピント板上の被写体像をルーペ及び正立光学系（ペンタプリズム）を介して正立実像として拡大するファインダ装置を備えている。ルーペの近傍には測光センサが配置されている。測光センサは、ピント板上の被写体像が受光面に再結像されると、被写体像に応じた信号を出力する。被写体の輝度は、測光センサより出力される信号に基づいて測定される。
【０００３】
測光センサの中には、被写界を複数の測光領域に分割して測光するものが知られている。例えば特許文献１に、この種の測光センサを備える撮影装置の具体的構成が記載されている。
【０００４】
特許文献１に記載の撮影装置は、適正な露出制御を行うため、測光センサより出力される測光データを、撮影レンズに固有の開放Ｆ値に応じて値が異なる係数を含む補正式で補正する。
【先行技術文献】
【特許文献】
【０００５】
【特許文献１】特許第５７６３４１５号公報
【発明の概要】
【発明が解決しようとする課題】
【０００６】
イメージセンサには、ＡＰＳ−Ｃサイズ（以下、「ＡＰＳ-Ｃフォーマット」と記す。）や３５ｍｍフルサイズ（以下、「３５ｍｍフォーマット」と記す。）など、複数種類のフォーマットが存在する。そのため、各種フォーマットに対応する撮影レンズが製造され販売されている。レンズマウントが適合さえしていれば、原則、大きいサイズのセンサを搭載するカメラボディにセンササイズの小さいフォーマットに対応する撮影レンズを装着することができ、また、小さいサイズのセンサを搭載するカメラボディにセンササイズの大きいフォーマットに対応する撮影レンズを装着することができる。
【０００７】
例えば、大きいサイズのセンサを搭載するカメラボディにセンササイズの小さいフォーマットに対応する撮影レンズを装着させた場合を考える。この場合、撮影レンズ内でのケラレの発生によって周辺光量が大幅に低下し、測光センサにて受光される光量が低下するため、暗い被写体であると判定される。そのため、測光センサの出力に基づいて露出制御が行われると、撮影画像が全体的に明るくなりすぎてしまう。このように、撮影レンズの対応フォーマットがイメージセンサのフォーマットと異なる場合、適正な露出制御を行うことが難しく、適正な輝度の撮影画像が得られないという問題が指摘される。
【０００８】
本発明は上記の事情に鑑みてなされたものであり、その目的とするところは、撮影レンズの対応フォーマットに拘わらず適正な露出制御を行うのに好適な撮影装置を提供することである。
【課題を解決するための手段】
【０００９】
本発明の一実施形態に係る撮影装置は、撮影レンズを着脱可能なものであり、装着された撮影レンズの対応フォーマットの情報を取得する取得手段と、被写界を複数の測光領域に分割して測光する測光センサと、取得手段により取得された対応フォーマットの情報に基づいて測光センサの各測光領域の測光データを補正する補正手段とを備える。
【００１０】
また、本発明の一実施形態において、補正手段は、測光データを補正するための補正式を対応フォーマット毎に予め保持し、取得手段により取得された対応フォーマットの情報に関連付けられた補正式を呼び出し、呼び出された補正式を用いて補正値を演算し、演算された補正値で測光データを補正する構成としてもよい。
【００１１】
また、本発明の一実施形態において、補正式は、例えば、少なくとも撮影レンズの開放Ｆ値及び射出瞳距離に基づいて測光データの補正値を演算する式である。
【００１２】
また、本発明の一実施形態において、補正手段は、取得手段により取得された対応フォーマットの情報が第１のフォーマットの情報であるとき、測光センサの各測光領域を第１の重み関数で補正し、取得手段により取得された対応フォーマットの情報が第１のフォーマットよりも画角の小さい第２のフォーマットの情報であるとき、測光センサの各測光領域を第１の重み関数と異なる第２の重み関数で補正する構成としてもよい。
【００１３】
また、本発明の一実施形態において、第１の重み関数は、例えば、測光センサの全ての測光領域を第１の係数で重み付けするものである。また、第２の重み関数は、例えば、測光センサの中央に位置する測光領域を第２の係数で重み付けし、且つ該中央に位置する測光領域の周辺に位置する測光領域を第１の係数よりも小さい第３の係数で重み付けするものである。
【発明の効果】
【００１４】
本発明の一実施形態によれば、撮影レンズの対応フォーマットに拘わらず適正な露出制御を行うのに好適な撮影装置が提供される。
【図面の簡単な説明】
【００１５】
【図１】本発明の一実施形態に係る撮影装置の構成を示すブロック図である。
【図２】本発明の一実施形態に係る撮影装置に備えられるＡＥセンサの構成を示すブロック図である。
【図３】本発明の第一実施形態において撮影装置に備えられるシステムコントローラにより実行される測光データの補正処理のフローチャートを示す図である。
【図４】本発明の第二実施形態においてシステムコントローラにより実行される測光データの補正処理のフローチャートを示す図である。
【図５】本発明の第二実施形態においてシステムコントローラにより実行される測光データの補正処理のフローチャートを示す図である。
【図６】本発明の第二実施形態の重み関数を説明するための概念図である。
【発明を実施するための形態】
【００１６】
以下、本発明の一実施形態に係る撮影装置について図面を参照しながら説明する。以下においては、本発明の一実施形態として、クイックリターン式のミラー搭載のデジタル一眼レフカメラについて説明する。
【００１７】
［撮影装置１の構成］
図１は、本発明の一実施形態に係る撮影装置の主要構成を光軸で縦断して示すブロック構成図である。なお、図１中、各ブロックの電気的な結線については、図面を簡素化する便宜上省略する。
【００１８】
図１に示されるように、撮影装置１は、カメラボディ１０と、カメラボディ１０に対して着脱することにより交換することが可能な撮影レンズ２０を備えている。被写体からの光束（被写体光束）は、撮影レンズ２０内の結像光学系（変倍光学系）２０ａを介してカメラボディ１０内のメインミラー１０ａにより、ペンタプリズム１０ｂに向かって反射される。なお、撮影レンズ２０は複数枚構成であるが、図１においては便宜上一枚のレンズとして示す。
【００１９】
被写体光束は、ペンタプリズム１０ｂの各反射面にて反射されることによって正立像となり、接眼レンズ１０ｃに入射される。被写体光束は、接眼レンズ１０ｃにより、ユーザの観察に適する虚像に再結像される。ユーザは、接眼レンズ１０ｃによって再結像された被写体像（虚像）を、ファインダ１０ｄを覗くことにより観察することができる。
【００２０】
カメラボディ１０は、電源スイッチやレリーズスイッチ、撮影モードスイッチなど、ユーザが撮影装置１を操作するために必要な各種操作部（不図示）を備えている。ユーザにより電源スイッチが操作されると、図示省略されたバッテリから撮影装置１の各種回路に電源ラインを通じて電源供給が行われる。
【００２１】
カメラボディ１０は、システムコントローラ１０ｆを備えている。本実施形態において、システムコントローラ１０ｆは、ＣＰＵ（Central Processing Unit）及びＤＳＰ（Digital Signal Processor）を含む。システムコントローラ１００は電源供給後、図示省略されたＲＯＭ等の記憶媒体にアクセスし、制御プログラムを読み出してワークエリアにロードし、ロードされた制御プログラムを実行することにより、撮影装置１全体の制御を行う。
【００２２】
ペンタプリズム１０ｂの一部の領域は、ハーフミラー領域となっている。ペンタプリズム１０ｂの各反射面にて反射される被写体光束の一部は、ハーフミラー領域を介してＡＥ（Automatic Exposure）センサ１０ｅにて受光される。図２に、ＡＥセンサ１０ｅのブロック構成を示す。
【００２３】
図２に示されるように、ＡＥセンサ１０ｅは、フロントエンドＩＣを内蔵したものであり、１６×１６の測光領域（すなわち２５６の測光領域）がマトリックス状に配列された二次元センサ（例えばＣＣＤ（Charge Coupled Device））１０ｅＡを備えている。二次元センサ１０ｅＡにより、被写界が複数の測光領域に分割して測光される。二次元センサ１０ｅＡは、各測光領域の測光データをＣＤＳ（Correlated Double Sampling）回路１０ｅＢ、ＡＧＣ（Automatic Gain Control）回路１０ｅＣ及びＡＤコンバータ１０ｅＤを介してシステムコントローラ（Central Processing Unit）１０ｆに出力する。システムコントローラ１０ｆは、垂直駆動（ＶＤ）信号、水平駆動（ＨＤ）信号及びクロック信号（Ｃｌｋ）をＴＧ（Timing Generator）回路１０ｅＥに供給することにより、ＡＥセンサ１０ｅを制御する。
【００２４】
システムコントローラ１０ｆは、プログラムＡＥ、シャッタ優先ＡＥ、絞り優先ＡＥなど、撮影モードスイッチにより指定されるＡＥ機能に基づいて露出制御を行う。例示的には、システムコントローラ１０ｆは、ＡＥセンサ１０ｅより入力される各測光領域の測光データに基づいて被写体輝度Ｂｖを演算し、ＩＳＯ感度等を加味しつつ、設定された撮影モードに従いシャッタ速度及び絞り値を決定する。
【００２５】
メインミラー１０ａの一部の領域は、ハーフミラー領域となっている。そのため、被写体光束の一部は、メインミラー１０ａ（ハーフミラー領域）を透過して、メインミラー１０ａの後段に設けられたサブミラー１０ｇにより下方に反射されて、自動焦点検出モジュール１０ｈに入射される。自動焦点検出モジュール１０ｈは、被写体の焦点状態を検出し、検出結果に応じた信号をシステムコントローラ１０ｆに出力する。システムコントローラ１０ｆは、自動焦点検出モジュール１０ｈより入力された信号に基づいてデフォーカス演算を行い、演算によって求められたデフォーカス量に基づいて結像光学系２０ａの自動焦点調節（ＡＦ（Autofocus）制御）を行う。
【００２６】
なお、システムコントローラ１０ｆは、各測光領域の測光データに基づいてＡＦ評価値を算出し、算出されたＡＦ評価値に基づいてＡＦ制御を行ってもよい。
【００２７】
ユーザによりレリーズスイッチが押されると、システムコントローラ１０ｆは、メインミラー１０ａをクイックリターンさせる。すなわち、システムコントローラ１０ｆは、フォーカルプレーンシャッタ１０ｉの先膜走行開始直前から後幕走行終了直後の期間に限り、メインミラー１０ａをアップすることにより、結像光学系２０ａの光軸ＡＸと平行な光路からメインミラー１０ａを退避させる。また、サブミラー１０ｇは、メインミラー１０ａとメカ的に連動する構成となっており、メインミラー１０ａのミラーアップと共に光路から退避する。
【００２８】
フォーカルプレーンシャッタ１０ｉの後段には、イメージセンサ１０ｊが設置されている。そのため、フォーカルプレーンシャッタ１０ｉを通過した被写体光束は、イメージセンサ１０ｊの撮像面上で結像される。イメージセンサ１０ｊは、３５ｍｍフォーマットのＣＭＯＳ（Complementary Metal Oxide Semiconductor）イメージセンサであり、撮像面上の各画素で結像した光学像を光量に応じた電荷として蓄積して、Ｒ（Red）、Ｇ（Green）、Ｂ（Blue）の画像信号を生成して出力する。なお、イメージセンサ１０ｊは、ＡＰＳ-Ｃフォーマットであってもよく、また、ＣＣＤイメージセンサであってもよい。
【００２９】
システムコントローラ１０ｆは、上記においては、ＡＥセンサ１０ｅより出力される測光データに基づいてシャッタ速度及び絞り値を決定しているが、イメージセンサ１０ｊによる撮影画像データから測光データを生成し、生成された測光データに基づいてシャッタ速度及び絞り値を決定してもよい。
【００３０】
システムコントローラ１０ｆは、イメージセンサ１０ｊより入力される画像信号に対してクランプ、デモザイク、マトリックス演算、Ｙ／Ｃ分離、ホワイトバランス等の所定の信号処理を施して輝度信号Ｙ、色差信号Ｃｂ、Ｃｒを生成し、ＪＰＥＧ（Joint Photographic Experts Group）等の所定のフォーマットで圧縮する。ＪＰＥＧ画像は、カメラボディの内蔵メモリやメモリカードに保存される。なお、撮影画像の保存形式は、ＪＰＥＧ形式に限らず、最小限の画像処理（例えば黒レベルの補正等）しか施されないＲＡＷ形式であってもよい。
【００３１】
また、システムコントローラ１０ｆは、信号処理後の画像信号を所定のフォーマットのビデオ信号に変換し、カメラボディ１０の背面に設けられたＬＣＤモニタ（不図示）に表示させる。これにより、ユーザは、ＡＥ制御及びＡＦ制御に基づいて適正な露出値及びピントで撮影されたリアルタイムのスルー画（ライブビュー）を、ＬＣＤモニタを通じて視認することができる。
【００３２】
カメラボディ１０は、各種フォーマットに対応する撮影レンズ２０を着脱することが可能に構成されている。本実施形態では、ＡＰＳ-Ｃフォーマットに対応する撮影レンズと、３５ｍｍフォーマットに対応する撮影レンズが着脱可能であるものとする。例えば、カメラボディ１０（３５ｍｍフォーマットのイメージセンサを搭載）にＡＰＳ-Ｃフォーマットに対応する撮影レンズ２０を装着させた場合を考える。この場合、撮影レンズ２０内でのケラレの発生により、ペンタプリズム１０ｂ等のファインダ光学系内を伝播する被写体光束の周辺光量が大幅に低下する。そのため、ＡＥセンサ１０ｅにて受光される光量が低下して、暗い被写体であると判定される。従って、ＡＥセンサ１０ｅの出力をそのまま用いて露出制御を行うと、露出が不適正（主被写体部分がオーバ）になってしまう。以下の第一実施形態及び第二実施形態では、このような場合であっても適正な露出制御を行うことができるよう、ＡＥセンサ１０ｅより出力される補正データが撮影レンズ２０の対応フォーマットに応じて適正に補正される。
【００３３】
［第一実施形態］
図３は、本発明の第一実施形態においてシステムコントローラ１０ｆにより実行される測光データの補正処理のフローチャートを示す。図３に示されるフローチャートは、例えば、カメラボディ１０に撮影レンズ２０が装着され且つカメラボディ１０の電源がオンされた時点で開始される。
【００３４】
［図３のＳ１１（レンズデータの取得）］
本処理ステップＳ１１では、撮影レンズ２０の内蔵メモリが読み込まれることにより、レンズデータが取得される。レンズデータには、例えば、撮影レンズ２０の対応フォーマット（ＡＰＳ-Ｃフォーマット又は３５ｍｍフォーマット）の情報や、現在の焦点距離、フォーカス位置、焦点距離に応じたレンズの開放Ｆ値、射出瞳距離等の情報が含まれる。
【００３５】
［図３のＳ１２（測光データの取得）］
本処理ステップＳ１２では、ＡＥセンサ１０ｅより出力された各測光領域（合計２５６領域）の測光データが取得される。
【００３６】
［図３のＳ１３（対応フォーマットの判定）］
本処理ステップＳ１３では、処理ステップＳ１１（レンズデータの取得）にて取得されたレンズデータに含まれる対応フォーマットが３５ｍｍフォーマットとＡＰＳ-Ｃフォーマットの何れであるかが判定される。
【００３７】
［図３のＳ１４（第一の補正式による測光データの補正）］
本処理ステップＳ１４は、処理ステップＳ１３（対応フォーマットの判定）にて撮影レンズ２０の対応フォーマットが３５ｍｍフォーマットと判定された場合（Ｓ１３：３５ｍｍフォーマット）に実行される。本処理ステップＳ１４では、３５ｍｍフォーマットの情報に関連付けられた第一の補正式がシステムコントローラ１０ｆの内蔵メモリより呼び出され、呼び出された第一の補正式を用いて補正値が演算され、演算された補正値で処理ステップＳ１２（測光データの取得）にて取得された各測光領域の測光データが補正される。
【００３８】
［図３のＳ１５（第二の補正式による測光データの補正）］
本処理ステップＳ１５は、処理ステップＳ１３（対応フォーマットの判定）にて撮影レンズ２０の対応フォーマットがＡＰＳ-Ｃフォーマットと判定された場合（Ｓ１３：ＡＰＳ-Ｃフォーマット）に実行される。本処理ステップＳ１５では、ＡＰＳ-Ｃフォーマットの情報に関連付けられた第二の補正式がシステムコントローラ１０ｆの内蔵メモリより呼び出され、呼び出された第二の補正式を用いて補正値が演算され、演算された補正値で処理ステップＳ１２（測光データの取得）にて取得された各測光領域の測光データが補正される。
【００３９】
第一の補正式と第二の補正式との違いには、例えば、式内の係数の値の違いや特定の項の有無等が挙げられる。
【００４０】
・補正式の具体例
第一、第二の各補正式の具体例を示す。測光領域（ｉ，ｊ）の測光データの補正量をＭｎｄ（ｉ，ｊ）と定義し、焦点距離をｆと定義し、焦点距離ｆ時の射出瞳距離をＥｘｐと定義し、焦点距離ｆ時の撮影レンズ２０の開放Ｆ値をＡｖｍｉｎと定義し、各係数をｋ１（ｉ，ｊ）〜ｋ７（ｉ，ｊ）と定義した場合に、第一、第二の補正式は、次に示される通りである。下記の例では、第一の補正式と第二の補正式との違いとして、各項の係数の値の違い及び焦点距離ｆの項の有無がある。
【００４１】
第一の補正式：
Ｍｎｄ（ｉ，ｊ）＝｛ｋ１（ｉ，ｊ）×Ａｖｍｉｎ｝＋｛ｋ２（ｉ，ｊ）×（１／Ｅｘｐ）｝＋｛ｋ３（ｉ，ｊ）×ｆ｝＋ｋ４（ｉ，ｊ）
第二の補正式：
Ｍｎｄ（ｉ，ｊ）＝｛ｋ５（ｉ，ｊ）×Ａｖｍｉｎ｝＋｛ｋ６（ｉ，ｊ）×（１／Ｅｘｐ）｝＋ｋ７（ｉ，ｊ）
【００４２】
各係数ｋ１（ｉ，ｊ）〜ｋ７（ｉ，ｊ）は、予め（例えば工場出荷時に）値が決められた定数であり、二次元センサ１０ｅＡの測光領域（ｉ，ｊ）の測光データを補正するのに最適化された値となっている。ここでいう最適化とは、測光データの補正後に残存する測光誤差が極力抑えられていることを意味する。第一の補正式の係数ｋ１（ｉ，ｊ）〜ｋ４（ｉ，ｊ）は、対応フォーマットが３５ｍｍフォーマットの撮影レンズ２０を装着した状態で面光源等を実際に測光した場合の測光データを用いて最適化されている。第二の補正式の係数ｋ５（ｉ，ｊ）〜ｋ７（ｉ，ｊ）は、対応フォーマットがＡＰＳ−Ｃフォーマットの撮影レンズ２０を装着した状態で面光源等を実際に測光した場合の測光データを用いて最適化されている。
【００４３】
このように、第一実施形態によれば、撮影レンズ２０の対応フォーマット毎に最適な補正式が呼び出され、呼び出された補正式でＡＥセンサ１０ｅより出力される各測光領域の測光データが補正される。これにより、撮影レンズ２０の対応フォーマットに応じた適正な露光制御が行われる。
【００４４】
［第二実施形態］
例えば、大きいサイズのセンサを搭載するカメラボディにセンササイズの小さいフォーマットに対応する撮影レンズを装着させた場合、撮影レンズ内でのケラレの発生により、撮影画像の周辺部が暗くなってしまう。そこで、センササイズの小さいフォーマットに対応する画素領域を切り出して記録することにより、撮影画像の周辺部が暗くなる問題を回避する、クロップ撮影が知られている。
【００４５】
しかし、クロップ撮影時に通常撮影時と同じ測光領域の測光データに基づいて測光が行われると、測光センサの周辺に位置する測光領域にて受光される光量が少ないため、被写体が暗いと判定される。そこで、撮影レンズの対応フォーマットに応じて（イメージサークルに合わせて）測光に利用する測光領域を変更することにより、適切な測光を行う方法が知られている。
【００４６】
しかし、このような方法では、例えば主被写体が撮影範囲の周辺寄りに位置する場合、撮影画像内において主写体の輝度が適正になり難いという問題が指摘される。本発明の第二実施形態に係る測光データの補正処理では、このような問題が好適に解消される。
【００４７】
図４は、本発明の第二実施形態においてシステムコントローラ１０ｆにより実行される測光データの補正処理のフローチャートを示す。図４に示されるフローチャートは、通常測光時（定常光測光時）に実行される処理であり、例えば、カメラボディ１０に撮影レンズ２０が装着され且つカメラボディ１０の電源がオンされた時点で開始される。なお、第二実施形態においては、第一実施形態と重複する説明について適宜簡略又は省略する。
【００４８】
［図４のＳ２１（レンズデータの取得）］
本処理ステップＳ２１では、撮影レンズ２０の内蔵メモリが読み込まれることにより、レンズデータが取得される。
【００４９】
［図４のＳ２２（対応フォーマットの判定）］
本処理ステップＳ２２では、処理ステップＳ２１（レンズデータの取得）にて取得されたレンズデータに含まれる対応フォーマットが３５ｍｍフォーマットとＡＰＳ-Ｃフォーマットの何れであるかが判定される。
【００５０】
［図４のＳ２３（クロップモードの設定）］
本処理ステップＳ２３は、処理ステップＳ２２（対応フォーマットの判定）にて撮影レンズ２０の対応フォーマットがＡＰＳ-Ｃフォーマットと判定された場合（Ｓ２２：ＡＰＳ-Ｃフォーマット）に実行される。本処理ステップＳ２３では、撮影モードがデフォルトの通常モードからＡＰＳ-Ｃフォーマットのイメージサークルに合わせたクロップモードに設定される。
【００５１】
［図４のＳ２４（ＡＥセンサ１０ｅの設定）］
本処理ステップＳ２４では、ＡＥセンサ１０ｅ（二次元センサ１０ｅＡ）の露出が設定される。二次元センサ１０ｅＡは、初回時であれば所定の露出が設定され、２回目以降の場合には前サイクルの測光結果に応じた露出が設定される。
【００５２】
［図４のＳ２５（測光データの取得）］
本処理ステップＳ２５では、処理ステップＳ２４（ＡＥセンサ１０ｅの設定）にて設定された露出でＡＥセンサ１０ｅ（二次元センサ１０ｅＡ）が制御される。システムコントローラ１０ｆは、ＡＥセンサ１０ｅより出力された各測光領域（合計２５６領域）の測光データを取得する。
【００５３】
［図４のＳ２６（撮影モードの判定）］
本処理ステップＳ２６では、撮影モードが通常モードとクロップモードの何れに設定されているか否かが判定される。
【００５４】
［図４のＳ２７（第一の重み関数による測光データの補正）］
本処理ステップＳ２７は、処理ステップＳ２６（撮影モードの判定）にて撮影モードが通常モードに設定されていると判定される場合（Ｓ２６：通常モード）に実行される。本処理ステップＳ２７では、通常モード（換言すると、３５ｍｍフォーマットの情報）に関連付けられた第一の重み関数がシステムコントローラ１０ｆの内蔵メモリより呼び出され、呼び出された第一の重み関数で処理ステップＳ２５（測光データの取得）にて取得された各測光領域の測光データが補正（重み付け）される。
【００５５】
［図４のＳ２８（第二の重み関数による測光データの補正）］
本処理ステップＳ２８は、処理ステップＳ２６（撮影モードの判定）にて撮影モードがクロップモードに設定されていると判定される場合（Ｓ２６：クロップモード）に実行される。本処理ステップＳ２８では、クロップモード（換言すると、ＡＰＳ-Ｃフォーマットの情報）に関連付けられた第二の重み関数がシステムコントローラ１０ｆの内蔵メモリより呼び出され、呼び出された第二の重み関数で処理ステップＳ２５（測光データの取得）にて取得された各測光領域の測光データが補正（重み付け）される。
【００５６】
このようにして補正された補正データに基づいてＡＥ制御が行われて、適正な露出が設定される。測光処理が継続する間、図４に示されるフローチャートは繰り返し実行される。
【００５７】
図５は、本発明の第二実施形態においてシステムコントローラ１０ｆにより実行される測光データの補正処理のフローチャートを示す。図５に示されるフローチャートは、プリ発光測光時に実行される処理であり、例えば、カメラボディ１０に撮影レンズ２０が装着され且つカメラボディ１０の電源がオンされた時点で開始される。
【００５８】
［図５のＳ３１〜Ｓ３３］
処理ステップＳ３１〜Ｓ３３は、図４の処理ステップＳ２１〜Ｓ２３と実質同じであるため、その説明を省略する。
【００５９】
［図５のＳ３４（ＡＥセンサ１０ｅの設定）］
本処理ステップＳ３４では、ＡＥセンサ１０ｅ（二次元センサ１０ｅＡ）についてプリ発光測光用の露出が設定される。例示的には、露出は、通常測光結果やＡＦ結果として得られる距離情報に基づいて設定される。
【００６０】
［図５のＳ３５（プリ発光のトリガ発生）］
本処理ステップＳ３５では、ＡＥセンサ１０ｅ（二次元センサ１０ｅＡ）の露光タイミングに合わせて内蔵フラッシュ１０ｋのプリ発光のトリガがかけられる。
【００６１】
［図５のＳ３６（測光データの取得）］
本処理ステップＳ３６では、内蔵フラッシュ１０ｋがプリ発光されると、処理ステップＳ３４（ＡＥセンサ１０ｅの設定）にて設定された露出でＡＥセンサ１０ｅ（二次元センサ１０ｅＡ）が制御される。システムコントローラ１０ｆは、ＡＥセンサ１０ｅより出力された各測光領域（合計２５６領域）の測光データを取得する。
【００６２】
［図５のＳ３７〜Ｓ３９］
処理ステップＳ３７〜Ｓ３９は、図４の処理ステップＳ２６〜Ｓ２８と実質同じであるため、その説明を省略する。
【００６３】
このようにして補正された補正データに基づいて本撮影時における内蔵フラッシュ１０ｋの本発光量が決定される。
【００６４】
・重み関数の具体例
第一、第二の各重み係数の具体例を示す。図６（ａ）に、第一の重み係数を説明するための概念図を示し、図６（ｂ）に、第二の重み係数を説明するための概念図を示す。
【００６５】
図６（ａ）の左欄に示されるように、二次元センサ１０ｅＡがカバーする測光範囲αは、通常モード時（言い換えると、撮影レンズ２０の対応フォーマットが３５ｍｍフォーマットである場合）のイメージセンサ１０ｊの画角Ａに対して一回り狭い。本実施形態では、画角Ａの７０％を二次元センサ１０ｅＡの測光範囲αとする。また、図６（ｂ）の左欄に示されるように、通常モード時の画角Ａの６０％をクロップモード時（言い換えると、撮影レンズ２０の対応フォーマットがＡＰＳ-Ｃフォーマットである場合）のイメージセンサ１０ｊの画角（切り出されて記録される画素領域）Ａ’とする。
【００６６】
図６（ａ）の右欄に示されるように、通常モード時は、二次元センサ１０ｅＡ（測光範囲α内）の全ての測光領域の測光データに対して値１の係数が重み付けされる（言い換えると、二次元センサ１０ｅＡの各測光領域の測光データが第一の重み関数で補正される。）。
【００６７】
図６（ｂ）の右欄に示されるように、クロップモード時は、画角Ａ’の７０％の範囲（中央範囲β）に位置する測光領域の測光データが値１の係数で重み付けされ、中央範囲βよりも外側で且つ画角Ａ’内の範囲（周辺範囲γ）に位置する測光領域の測光データが値０．２の係数で重み付けされ、周辺範囲γよりも外側で且つ測光範囲α内に位置する測光領域の測光データが値０．１の係数で重み付けされる（言い換えると、二次元センサ１０ｅＡの各測光領域の測光データが第二の重み関数で補正される。）。
【００６８】
本例では、クロップモード時において、値１の係数が重み付けされる範囲（中央範囲β）が、通常モード時のイメージセンサ１０ｊの画角Ａに対する測光範囲αと同様に、イメージセンサ１０ｊの画角Ａ’の７０％の範囲に設定されている。イメージセンサ１０ｊの画角に対して値１の係数を重み付けする範囲を撮影モード間で揃える（ここでは７０％の範囲に揃える）ことにより、撮影モード間の測光結果の差が抑えられる。
【００６９】
また、本例では、クロップモード時において、中央範囲βよりも外側の範囲に位置する測光領域の測光データに対して値０．１や値０．２の係数が重み付けされている。これにより、例えば主被写体が撮影範囲の周辺寄りに位置する場合であっても、主被写体の輝度を適正に制御しやすくなる。また、例えば動きのある主被写体が中央範囲βの領域から出入りする場合であっても、測光結果の変動が抑えられるため、露出をスムーズに追従させることができる。
【００７０】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本発明の実施形態に含まれる。
【符号の説明】
【００７１】
１  撮影装置
１０  カメラボディ
１０ａ  メインミラー
１０ｂ  ペンタプリズム
１０ｃ  接眼レンズ
１０ｄ  ファインダ
１０ｅ  ＡＥセンサ
１０ｅＡ  二次元センサ
１０ｅＢ  ＣＤＳ回路
１０ｅＣ  ＡＧＣ回路
１０ｅＤ  ＡＤコンバータ
１０ｅＥ  ＴＧ回路
１０ｆ  システムコントローラ
１０ｇ  サブミラー
１０ｈ  自動焦点検出モジュール
１０ｉ  フォーカルプレーンシャッタ
１０ｊ  イメージセンサ
１０ｋ  内蔵フラッシュ
２０  撮影レンズ
２０ａ  結像光学系
【図１】
2017138346.tif 000003
【図２】
2017138346.tif 000004
【図３】
2017138346.tif 000005
【図４】
2017138346.tif 000006
【図５】
2017138346.tif 000007
【図６】
2017138346.tif 000008